(57)【特許請求の範囲】
【請求項１】
機械の稼動情報を検出する手段と、演算処理部及び記憶部を内蔵し、キースイッチに接続されるコントローラと、前記稼動情報を管理センタへ無線送信する手段とを備えた建設機械の情報送信装置に於いて、機械の稼動時間を計測する手段を前記コントローラに接続し、前記コントローラの演算処理部に計測された稼動時間を加算する手段及び稼動時間を比較する手段を設けると共に、前記コントローラの記憶部を不揮発性メモリとして予め設定した時間及び加算された稼動時間を記憶させ、機械の電源オン時は、先ず、前記不揮発性メモリに記憶されている加算された稼動時間を読み込んで前記設定時間と比較し、加算された稼動時間が設定時間よりも大であるときは、該加算された稼動時間を他の稼動情報と共に管理センタへ無線送信した後に加算された稼動時間をリセットし、一方、加算された稼動時間が設定時間よりも小であるときは、前記稼動情報の無線送信は実行せずに稼動時間の計測及び加算を継続し、前記キースイッチオフ操作時は、前記加算された稼動時間を不揮発性メモリに記憶した後に電源をオフするように構成されたことを特徴とする建設機械の情報送信装置。
【発明の詳細な説明】
【０００１】
【発明の属する技術分野】
本発明は建設機械の情報送信装置に関するものであり、特に、通信頻度を抑制した情報送信装置に関するものである。
【０００２】
【従来の技術】
油圧ショベル等の建設機械に於いて、機械の稼動情報をコントローラ内のメモリに記憶させ、この稼動情報を衛星通信や携帯電話若しくはＰＨＳ等の通信手段を用いて管理センタへ無線送信し、遠隔操作にて機械の情報管理を行うようにしたものは知られている。機械の稼動情報を送信する場合、次のような送信タイミングが考えられる。
(1)機械のキースイッチをオンしたときに送信する。
(2)エンジンを始動したときに送信する。
(3)別に送信用のスイッチを設け、該スイッチを操作したときに送信する。
【０００３】
【発明が解決しようとする課題】
前述した稼動情報の送信タイミングのうち、(1)の場合、キースイッチを何度もオン・オフするような使用状況では、頻繁に送信が行われて通信費用が嵩む。また(2)の場合も同様に、エンジンの始動・停止を何度も繰り返すような使用状況では、頻繁に送信が行われて通信費用が嵩む。これに対して(3)の場合は、送信回数を抑止できるが、その都度スイッチを操作しなければならず、操作が煩雑である。
【０００４】
また、機体のコントローラまたは送信機に時計機能を設け、該時計機能の作動により１日１回のみ送信を行うように設定することもできる。しかし、時計機能を生かすためには、機械の稼動時以外のときも常時電源を接続しておく必要があり、長期の休車時にはバッテリが上がる虞がある。
【０００５】
そこで、機械の使用状況に拘わらず、送信頻度を抑制しつつ定期的な送信が可能となるようにするために解決すべき技術的課題が生じてくるのであり、本発明はこの課題を解決することを目的とする。
【０００６】
【課題を解決するための手段】
本発明は上記目的を達成するために提案されたものであり、機械の稼動情報を検出する手段と、演算処理部及び記憶部を内蔵し、キースイッチに接続されるコントローラと、前記稼動情報を管理センタへ無線送信する手段とを備えた建設機械の情報送信装置に於いて、機械の稼動時間を計測する手段を前記コントローラに接続し、前記コントローラの演算処理部に計測された稼動時間を加算する手段及び稼動時間を比較する手段を設けると共に、前記コントローラの記憶部を不揮発性メモリとして予め設定した時間及び加算された稼動時間を記憶させ、機械の電源オン時は、先ず、前記不揮発性メモリに記憶されている加算された稼動時間を読み込んで前記設定時間と比較し、加算された稼動時間が設定時間よりも大であるときは、該加算された稼動時間を他の稼動情報と共に管理センタへ無線送信した後に加算された稼動時間をリセットし、一方、加算された稼動時間が設定時間よりも小であるときは、前記稼動情報の無線送信は実行せずに稼動時間の計測及び加算を継続し、前記キースイッチオフ操作時は、前記加算された稼動時間を不揮発性メモリに記憶した後に電源をオフするように構成された建設機械の情報送信装置を提供するものである。
【０００７】
【発明の実施の形態】
以下、本発明の一実施の形態を図面に従って詳述する。図１は情報送信装置１０のブロック図であり、機械の稼動情報を検出する手段１１と、機械の稼働時間を計測する手段１２と、キースイッチ１３等がコントローラ２０に接続されている。
【０００８】
該コントローラ２０はＣＰＵ等の演算処理部２１と記憶部としての不揮発性メモリ２２とＩＯ（図示せず）等からなり、演算処理部２１には前記稼動時間計測手段１２にて計測された機械の稼働時間を加算する手段２３と、予め不揮発性メモリ２２に記憶されている所定の設定時間と前述の加算された稼働時間とを比較する手段２４が設けられている。そして、コントローラ２０は後述する制御手順に従い、機械の稼動情報データを送信手段２５から管理センタへ無線送信し、或いは、加算された稼働時間を不揮発性メモリ２２に記憶する。
【０００９】
而して、機械が電源オンであるときは、前記稼動情報検出手段１１にて機械の稼動情報を検出するとともに、前記稼働時間計測手段１２により稼働時間を計測する。これら稼動情報と稼働時間のデータはコントローラ２０の演算部２１に読み込まれ、前記稼働時間加算手段２３にて稼動時間を加算する。図２のフローチャートに示すように、先ず、電源オン後の初回の場合は、前記不揮発性メモリ２２から前記加算された稼働時間（累積時間）を読み込んで（ステップ１→ステップ２）、予め設定した設定時間と前記累積時間とを稼働時間比較手段２４にて比較する（ステップ３）。このとき、累積時間が設定時間よりも大（累積時間＝設定時間の場合も含むものとする）であるときは、コントローラ２０は前記稼動情報データを送信手段２５から管理センタへ送信し（ステップ４）、その後、いままでの累積時間をリセットする（ステップ５）。
【００１０】
ステップ５に至った場合、或いは、ステップ１に於いて初回でない場合、若しくは、ステップ３に於いて累積時間が設定時間よりも小である場合は、ステップ６にジャンプし、稼働時間を加算して累積する（ステップ６）。そして、キースイッチ１３がオフとなったことを検出したときは（ステップ７）、前記累積時間を不揮発性メモリ２２に記憶し（ステップ８）、その後、機械の電源をオフにする（ステップ９）。
【００１１】
例えば、１日当たりの機械の稼働時間が８時間である場合に、前記設定時間を１６時間に設定すれば、２日に一回だけ稼動情報データを自動送信する。斯くして、機械の稼動情報の送信頻度が抑制され、通信費用が低廉となる。
【００１２】
尚、本発明は、本発明の精神を逸脱しない限り種々の改変を為すことができ、そして、本発明が該改変されたものに及ぶことは当然である。
【００１３】
【発明の効果】
本発明は上記一実施の形態に詳述したように、加算された稼動時間を予め設定した設定時間と比較し、加算された稼動時間が設定時間よりも大である場合は機械の稼動情報を管理センタへ無線送信し、前記稼動時間が設定時間よりも小である場合は稼動情報の無線送信は実行しない。そして、キースイッチオフ操作時は前記加算された稼動時間を不揮発性メモリに記憶した後に機械の電源をオフする。従って、機械の使用状況に拘わらず、送信頻度を抑制しつつ定期的な送信が可能となると共に通信費用を可及的に節減することもできる。
【図面の簡単な説明】
図は本発明の一実施の形態を示すものである。
【図１】情報送信装置のブロック図。
【図２】制御手順を示すフローチャート。
【符号の説明】
１０        情報送信装置
１１        稼動情報検出手段
１２        稼働時間計測手段
１３        キースイッチ
２０        コントローラ
２１        演算処理部
２２        不揮発性メモリ
２３        稼働時間加算手段
２４        稼働時間比較手段
２５        送信手段
【図１】
0003723130.tif 000002
【図２】
0003723130.tif 000003